(57)【特許請求の範囲】
【請求項１】
電子番組情報を含む信号を受信する受信手段と、
前記受信した電子番組情報を記憶する記憶メモリと、
前記記憶された電子番組情報に基づいて、所定数の放送チャンネルと放送時刻とにより規定されるとともに、予約状況の表示欄を備える電子番組情報表を構成する構成手段と、
表示される前記所定数の放送チャンネル以外の放送チャンネルを検索可能な検索手段と、
表示されている前記電子番組表内の放送番組の予約操作を行う操作手段と
を備え、
前記検索手段により前記放送チャンネルの検索が行われ、前記予約番組を放送する放送チャンネルが前記電子番組情報表に表示される場合、前記予約番組が放送される時間帯に基づく情報と前記予約番組の番組名称に基づく情報とを前記電子番組情報表に表示するとともに、前記予約番組を放送する放送チャンネルが前記電子番組情報表に表示されない場合、前記予約番組が放送される時間帯に基づく情報と前記予約番組の番組名称に基づく情報とを前記電子番組情報表に備えられた前記予約状況の表示欄に表示すること
を特徴とする電子番組情報装置。
【請求項２】
前記検索手段は、
表示される前記電子番組表の放送時刻以外の放送時刻について検索可能であること
を特徴とする請求項１に記載の電子番組情報装置。
【請求項３】
前記予約番組が放送される時間帯に基づく情報と前記予約番組の番組名称に基づく情報とは、
前記電子番組表に表示される他の放送チャンネルの番組のうち、前記予約番組の放送される時間帯と一部、または全部が重複する放送番組がある場合に表示されること
を特徴とする請求項１又は２に記載の電子番組情報装置。
【請求項４】
前記電子番組表の放送番組は、
前記放送番組ごとに、帯状に表示されること
を特徴とする請求項１から３のいずれか１項に記載の電子番組情報装置。
【請求項５】
前記電子番組表は、
前記放送番組ごとに、前記放送番組に関する情報を前記放送番組の表示欄内に表示すること
を特徴とする請求項１から４のいずれか１項に記載の電子番組情報装置。
【請求項６】
前記予約番組が放送される時間帯に関する情報は、
前記電子番組表内に、前記放送チャンネルと並列に表示されること
を特徴とする請求項１から５のいずれか１項に記載の電子番組情報装置。
【請求項７】
前記電子番組表を表示する表示手段を備えること
を特徴とする請求項１から６のいずれか１項に記載の電子番組情報装置。
【請求項８】
電子番組情報を含む信号を受信する受信ステップと、
前記受信した電子番組情報を記憶する記憶ステップと、
前記記憶された電子番組情報に基づいて、所定数の放送チャンネルと放送時刻とにより規定されるとともに、予約状況の表示欄を備える電子番組情報表を構成する構成ステップと、
表示される前記所定数の放送チャンネル以外の放送チャンネルを検索可能な検索ステップと、
表示されている前記電子番組表内の放送番組の予約操作を行う操作ステップと
を備え、
前記検索ステップにおいて前記放送チャンネルの検索が行われ、前記予約番組を放送する放送チャンネルが前記電子番組情報表に表示される場合、前記予約番組が放送される時間帯に基づく情報と前記予約番組の番組名称に基づく情報とを前記電子番組情報表に表示するとともに、前記予約番組を放送する放送チャンネルが前記電子番組情報表に表示されない場合、前記予約番組が放送される時間帯に基づく情報と前記予約番組の番組名称に基づく情報とを前記電子番組情報表に備えられた前記予約状況の表示欄に表示すること
を特徴とする電子番組情報表示方法。
【請求項９】
前記予約番組が放送される時間帯に基づく情報と前記予約番組の番組名称に基づく情報とは、
前記電子番組表に表示される他の放送チャンネルの番組のうち、前記予約番組の放送される時間帯と一部、または全部が重複する放送番組がある場合に表示されること
を特徴とする請求項８に記載の電子番組情報表示方法。
【発明の詳細な説明】
【０００１】
【発明の属する技術分野】
本発明は、衛星を使ったデジタル方式によるテレビジョン受信機などにおいて、映像や音声とは別に送信される番組関連情報を受信して、その情報をテレビ上に表示し番組の選局や予約を行うことのできる電子番組情報装置、電子番組情報表示方法、色付け方法および予約状況表示方法に関するものである。
【０００２】
【従来の技術】
図１５は従来のデジタルＣＳ（Ｃｏｍｍｕｎｉｃａｔｉｏｎ  Ｓａｔｅｌｌｉｔｅ）放送の受信機の構成を示す図であり、図において、１５０１はアンテナからの信号の入力端子、１５０２はチューナとＡ／Ｄ変換とＱＰＳＫ復調と誤り訂正を含むフロントエンド部、１５０３はデスクランブラー、１５０４は映像や音声や番組情報などを分離するデマルチプレクサ、１５０５はデマルチプレクサ用のメモリ、１５０６はビデオデコーダ、１５０７はビデオデコード用メモリ、１５０８はＮＴＳＣエンコーダ、１５０９はテレビ信号の出力端子、１５１０はＣＰＵ、１５１１はプログラムＲＯＭ、１５１２は番組情報を保存するメモリ、１５１３は漢字データを保存するＲＯＭである。
【０００３】
図において、アンテナで受信した信号は、アンテナからの入力端子１５０１から受信機に入力されフロントエンド部１５０２で所望の周波数を選局し、選局した信号をアナログ−デジタル変換し、QPSK復調し、誤り訂正処理を行った後、ＭＰＥＧ２システムトランスポートストリーム形式のデジタル信号として出力される。このトランスポート信号には、複数の映像や音声や番組関連情報などが時分割多重されている。
【０００４】
図１６はトランスポートストリームの概要を説明する図である。
【０００５】
このトランスポートストリーム信号はデスクランブラ１５０３に送られスクランブルを解除された後、デマルチプレクサ１５０４に送られる。
【０００６】
デマルチプレクサ１５０４ではトランスポートストリームから映像や音声や番組情報などを分離する。また、この時データバッファとしてメモリ１５０５を利用する。デマルチプレクサ１５０４で分離された映像データはビデオデコーダ１５０６へ送られＭＰＥＧ２により圧縮された映像信号の復号が行われる。メモリ１５０７は復号のために使用するフレームバッファである。
【０００７】
復号された映像のデジタルベースバンド信号はＮＴＳＣエンコーダ１５０８へ送られＮＴＳＣのアナログ映像信号に変換された後、映像出力端子１５０９から出力される。
【０００８】
一方、トランスポートストリームの中の番組情報はデマルチプレクサ１５０４により分離されＣＰＵ１５１０に送られる。ＣＰＵ１５１０では取得した番組情報を種類別に分類し必要なデータはメモリ１２１２に蓄積する。
【０００９】
メモリに蓄積されたデータは、ＥＰＧ（Ｅｌｅｃｔｒｏｎｉｃ  Ｐｒｏｇｒａｍ  Ｇｕｉｄｅ）情報として再構成されＯＳＤ（Ｏｎ  Ｓｃｒｅｅｎ  Ｄｉｓｐｌａｙ）データとしてビデオデコーダ１５０６へ送られる。
【００１０】
ＯＳＤデータはビデオデコーダ１５０６に送られ、映像信号と合成され、ＮＴＳＣエンコーダ１５０６に送られアナログ信号に変換された後、出力端子１５０９から出力される。
【００１１】
次に、前記受信機によりテレビ画面上に表示される番組情報の従来例について説明する。
【００１２】
図１７は従来のデジタル放送受信機における番組表の一例を示す図であり、図において１７１は現在の日付及び時刻を表示する欄、１７２は番組表に表示される番組の日付を表示する欄、１７３は番組の放送時刻を示す時間目盛り、１７４はサービスチャンネルのロゴマークを表示する欄、１７５はサービスチャンネルのチャンネル番号、１７６は番組の放送時間毎に区切られて表示される番組名称欄、１７７はカーソルの移動操作により選択されている番組欄、１７８はカーソルにより選択された番組の全名称及び、放送時刻などの表示欄、１７９は操作ガイダンスの表示欄である。
【００１３】
デジタル放送では、映像や音声とは別に番組の名称、放送時刻、ジャンル、内容の説明などの付加情報が１週間分程度送信される。この情報により受信機側で図１７のような番組表が構成され、ユーザはこの番組表から見たい番組を選択し、視聴や番組の予約を行うことができる。
【００１４】
従来の番組表を使って、番組を選局し視聴する方法について説明する。図１８は番組ガイドを操作するためのリモートコントローラを示す図である。図において、１８１は受信機の電源ボタン、１８２はサービスチャンネルを直接指定するための数字ボタン、１８３は番組表等を画面上に呼び出すためのメニューボタン、１８４は画面上のカーソルを上下左右に移動させるためのカーソルボタン（上下左右用に４個）、１８５はカーソルにより選択された項目を確定させるための決定ボタンである。
【００１５】
ユーザはリモコンあるいは受信機本体に用意されたボタンにより、図１７の番組表を呼び出す。次にユーザは番組表の中でカーソルを移動させながら視聴したいと思う番組を検索していく。この時、ユーザの番組選択基準はサービスチャンネルのロゴ、チャンネル番号、そして番組の名称である。サービスチャンネルのロゴや、サービスチャンネルによりそのチャンネルの特徴を記憶しておけば、番組選択の基準にはなるが、衛星によるデジタル放送などではサービスチャンネルが１００チャンネル以上におよぶことがあり、ユーザがそれぞれのチャンネルの特徴を記憶しておくことはかなり難しい。
【００１６】
従って、ユーザはほとんどの場合、番組の名称を頼りに番組の選択を行うことになる。しかし、図１７の番組表をみて分かるとおり、番組表の中では表示領域の制限から、必ずしも番組の完全な名称を表示できるとは限らない。このため、番組表の中においてカーソルで選択された番組に関しては画面上部の別欄に完全な番組名称を表示するよう工夫している。
【００１７】
例えば、図１７においてユーザが料理番組を見たいと思ったとき、番組表の中で確認できる範囲で料理番組らしい番組名称は見あたらない。１２８チャンネルの全名称が表示できていない、“楽しいク…”にカーソルを移動させてみる。すると番組上部に全名称“楽しいクッキング”と表示されるため、この番組が料理番組であることを理解して、この番組を選局することになる。
【００１８】
選択した番組“楽しいクッキング”が現在の時刻で放送中であれば、そこでリモコンの決定ボタン１８５を押すことにより直ちに番組を選局できる。図１７の例では“楽しいクッキング”は７時からの放送でまだ始まっていないためユーザは必要であれば番組の予約を行うことができる。
【００１９】
次に、図１７の番組表を使って番組を予約する方法について説明する。選択する番組は前記の“楽しいクッキング”とする。番組を選択するまでの順序は前記に同じである。選択された番組が現在の時刻以降に放送予定の番組である場合、リモコンの決定ボタン１８５を押すと、自動的に番組予約のシーケンスに入る。次に、このシーケンスについて説明する。図１９は従来の番組ガイドにおける番組予約のシーケンスを示すフローチャートである。
【００２０】
リモコンのメニューボタン１８３を押すと、図２０に示すようなメニュー画面が表示される。このメニュー画面の中から、「番組表」２０１を選択し図１７の番組表を表示させる（ステップ１９０２）。番組表から所望の番組をカーソル操作により選択してリモコンの決定ボタン１８５を押し、番組を決定する（ステップ１９０３）。選択した番組が現在以降に放送される番組であるかどうかを受信機が判断し（ステップ１９０４）、現在放送されていれば番組の選局動作に移る（ステップ１９０５）。（ステップ１９０３）で選択した番組が現在以降に放送される番組であった場合、選択した番組を予約するかどうかの問い合わせ画面が表示される（ステップ１９０６）。番組を予約しない場合、予約シーケンスを終了する。
【００２１】
（ステップ１９０６）で番組予約を選択すると、予約しようとしている番組が既に予約している番組と放送時間が重なっていないかどうかのチェックを受信機が行う（ステップ１９０７）。重複する番組がなければ、番組を予約し（ステップ１９１０）、予約シーケンスを終了する（ステップ１９１１）。（ステップ１９０７）で予約が重複する番組があった場合、予約が重複することをユーザに知らせる警告画面を表示し（ステップ１９０８）、予約動作を継続するかどうかの確認をユーザに求める。次に、予約を継続するかやめるかをユーザが選択し（ステップ１９０９）、継続する場合は番組を予約する（ステップ１９１０）。予約動作を継続しない場合は予約動作を終了する（ステップ１９１０）。なお、番組が重複したままで番組予約を行った場合は、放送時間の早い方を優先するなどの、受信機が設定する優先順位に従い、実際の予約実行が行われる。また、メニュー画面の下の階層に設けた予約一覧画面にて、重複した番組の一方の予約を取り消すこともできる。
【００２２】
【発明が解決しようとする課題】
従来のデジタル放送受信機における電子番組情報装置は以上のように構成されているため以下のような問題点がある。
【００２３】
まず、図１７の番組表においてユーザが番組を選択しようとする場合、番組の主な選択基準となるのは番組の名称だけしかない。また、番組の名称についてもその全ての名称を確認するためには、番組表においてその番組が表示されているところまで、カーソル移動させなければならない場合があり、番組の選択方法としては非常に効率の悪いものである。
【００２４】
また、図１４の番組表から番組を選択して予約を行う場合、選択した番組が既に予約している番組と重なっていないかどうかを受信機がユーザに知らせる手段としては、図１９のフローチャートに示したように予約しようとする番組を選択した後でなければ分からないという問題点があった。
【００２５】
このような問題点に対して、番組名称の一部の欄にその番組が予約されていることを示すアイコン等を表示する例もある。図２１は従来の番組ガイドにおける番組予約のシーケンスを示す図であり、図において、２１０１はその番組が予約されていることを示すアイコンである。この場合でも番組欄に表示されているチャンネル以外の番組に関する予約状態を知ることはできない。
【００２６】
即ち、図２１において現在表示されているチャンネルである１２４ＣＨ〜１３９ＣＨ以外のチャンネルの番組、例えば４００ＣＨの番組が予約されていたとしても、ユーザはそれを知ることができない。
【００２７】
本発明は、以上のような問題点を解決するためになされたもので、番組表の中に既予約番組に関する情報を表示するようにして、番組予約の際に番組予約の重複を事前に防ぐことができるようにした、使いやすい電子番組情報装置、及び電子番組情報表示方法を得ることを目的とする。
【００２８】
【課題を解決するための手段】
本発明に係る電子番組情報装置は、電子番組情報を含む信号を受信する受信手段と、前記受信した電子番組情報を記憶する記憶メモリと、前記記憶された電子番組情報に基づいて、所定数の放送チャンネルと放送時刻とにより規定されるとともに、予約状況の表示欄を備える電子番組情報表を構成する構成手段と、表示される前記所定数の放送チャンネル以外の放送チャンネルを検索可能な検索手段と、表示されている前記電子番組表内の放送番組の予約操作を行う操作手段とを備え、前記検索手段により前記放送チャンネルの検索が行われ、前記予約番組を放送する放送チャンネルが前記電子番組情報表に表示される場合、前記予約番組が放送される時間帯に基づく情報と前記予約番組の番組名称に基づく情報とを前記電子番組情報表に表示するとともに、前記予約番組を放送する放送チャンネルが前記電子番組情報表に表示されない場合、前記予約番組が放送される時間帯に基づく情報と前記予約番組の番組名称に基づく情報とを前記電子番組情報表に備えられた前記予約状況の表示欄に表示することとしたものである。
【００３８】
【発明の実施の形態】
本発明の実施の形態であるデジタル衛星放送の番組情報表示装置においては、まず、メニュー画面などからジャンルの色づけ設定画面を呼び出す。ジャンルの色づけ設定画面では、ディジタル放送で送信されるジャンルの一覧が表示され、各ジャンルの名称に付帯する形でそのジャンルに割り当てられる色の表示欄が設けられている。
【００３９】
ユーザが色を割り当てたいと思うジャンルにカーソルを移動させ、リモコンの決定ボタン１８５を押すと割付られる色の選択画面が表示される。ユーザはこの選択画面の中からカーソルの移動操作により色を選び、リモコンの決定ボタン１８５を押すと選択したジャンルに対して割り付けられる色が確定し、ジャンルの名称に付帯する形で設けられた色の表示欄に選択した色が表示され、ジャンルと割り付けた色との対応が確認できる。
【００４０】
また、ジャンルに割り付ける色の他の選択方法としては、ジャンルの色設定画面においてユーザが色を割り当てたいジャンルにカーソルを移動させ、そこでリモコンの決定ボタン１８５を押すと、ボタンを押す度に設定可能な色が順次、色の表示欄に表示されるといった方法もある。
【００４１】
また、ディジタル放送において送信されるジャンルが、大ジャンルとさらにその下の小ジャンルに分かれている場合、大ジャンルと同様な色づけ操作を小ジャンルに対しても行うことができる。
【００４２】
また、別の方法として小ジャンルへの色設定は、大ジャンルに設定した色と同じ色を割り付けるか、つけないかの設定のみを行うことも可能である。
【００４３】
上記のような方法により、任意のジャンルに対して対応する色を設定した場合、テレビ画面上に番組表を表示させた場合に、番組に付帯する形で番組毎にそれぞれのジャンルに対応した色が表示される。
【００４４】
また、番組表に表示された番組のジャンルを色付けして表示する方法には、番組の名称欄の背景を設定した色で塗りつぶすような形態や、番組名称の一部の背景を設定した色で塗りつぶす形態や、番組名称をジャンルの設定色にて表示する形態や、番組名称表示欄とは別の独立した位置であり、番組名称に近い位置に設定したジャンル色を表示する形態がある。
【００４５】
以上のような形態により、ユーザが番組表を表示させその中から番組を選択する際に、番組のジャンルが即座にわかり、見たい番組を選択しやすくなるという効果がある。
【００４６】
また、上記のような番組表のジャンル色表示は、ユーザの好みに応じて表示できたり、表示を禁止したりする事ができる。これにより、番組表のなかで多くの色が表示され画面が見にくくなるといったことを防ぐことが可能である。
【００４７】
次に、番組表の中に、番組表が現在表示している時間帯の範囲で、既に視聴予約を行っている番組が存在する場合、番組表内にその番組に関する情報を表示する。
【００４８】
上記、予約番組の情報を番組表の番組欄の中に表示することができる。番組欄の中に番組の予約状況を表示することにより、既予約番組の放送時間が視覚的に明らかになり、現在表示中の他の番組との比較が容易にできるという効果がある。
【００４９】
また、上記表示はユーザの好みに応じて表示させたり、表示を禁止したりすることができる。
【００５０】
番組欄の中に予約状況表示を行わない場合、その部分は通常の番組表示欄として使用することができる。このため、番組予約を多用しないユーザにとっては番組の表示欄が１行増えることになり、番組表の表示情報量が増えることにより番組の一覧性が向上するという効果がある。
【００５１】
以下、本発明をその実施の形態を示す図面に基づいて具体的に説明する。
実施の形態１．
図１は本発明の実施の形態１である番組情報表示装置の構成例ある。図において、１５１４は本実施の形態においてユーザがジャンルに対して割り付けた色情報や、番組表においてどのジャンル色を表示するかどうか、さらに番組表中に番組の予約状況を表示するかどうかの設定を保存するための不揮発性メモリである。なお、構成要素１５０１〜１５１３までは図１５とほぼ同様であるため詳細な説明を省略する。
【００５２】
また、図２は本実施の形態においてリモコン（図１６）のメニューボタンを押したときに画面に表示されるメニュー画面の例である。
【００５３】
この画面を表示するためには、図におけるＣＰＵ１５１０があらかじめプログラムＲＯＭ１５１１に記憶された画面を描画するための所定のプログラムに基づき、描画データ（ＯＳＤデータ）をビデオデコーダ１５０６を経由してフレームメモリ１５０７に書き込む。
【００５４】
ビデオデコーダ１５０６はＯＳＤデータと映像データを合成した後、合成データをＮＴＳＣエンコーダ１５０８へ送り、ＮＴＳＣエンコーダ１５０８でアナログ映像信号に変換された信号は出力端子１５０９より出力されＴＶ等で実際に視認可能となる。以降、画面表示とは前記のようなプロセスを実行する事を意味する。
【００５５】
図２において、２１はジャンルの色分け設定を行うための画面を呼び出すための選択項目を示す。この選択項目にカーソルを移動させリモコンの決定ボタン１８５を押すと、例えば図３に示すジャンルの色分け設定画面が表示される。図３において、３１はデジタル放送で番組に付帯して送信される大ジャンルの種類を示す大ジャンル名称、３２は前記大ジャンルに対して色を割り付けた時に、その色を表示するためのボックスを示す。この図はどのジャンルに対しても何の色も設定されていない状態を示している。
【００５６】
次に、ユーザの所望のジャンルに色を設定するための手順について説明する。図３においてカーソル（ジャンルボタンを囲んだ太枠）を色設定したいジャンルに移動させる。例えば、「アニメ」に色を設定したい場合、カーソルを「アニメ」に移動させ、リモコンの決定ボタン１８５を押す。
【００５７】
すると、図４のように画面が変化する。図において、４１は設定する色を選択するための子画面、４２は選択する色を表示するボックス、４３は選択する色の名称欄、４４は色を選択するためのカーソル、４５は１つの大ジャンルの下にさらに詳しい小ジャンルが存在する場合、その画面にジャンプするためのソフトボタン、４６は色付けをやめて子画面４１を消去し、元の画面に戻るためのソフトボタンである。
【００５８】
図４において、「アニメ」に黄色を設定する場合、子画面４１上でカーソルを黄色に移動させ、（図では黄色が先頭にあるのでカーソル移動が必要ない場合もある。）リモコンの決定ボタン１８５を押すと、子画面４１が消えて、図４の画面に戻る。
【００５９】
図５は本発明の実施の形態１におけるジャンルの色設定後の画面を示す図であり、図において、５１は色設定を行った後の色表示ボックスを示しており、ユーザが選択した黄色の色がつけられ表示される。同様の手順により、他のジャンルに対しても色付けを行えば、その色が各ジャンルの色表示ボックスに表示される。
【００６０】
このとき、本実施の形態における番組情報表示装置ではユーザが選択できる色に対してあらかじめ数値を割り付けておく。例えば、色無し＝００、黄＝０１、紫＝０２、緑＝０３、オレンジ＝０４、水色＝０５などとする。
【００６１】
ユーザがアニメに対して、黄色を設定した時、図１に示した本実施の形態における番組情報表示装置おけるＣＰＵ１５１０は、アニメ＝０１という色設定情報を不揮発性メモリ１５１４に記憶すると共に、作業用メモリ１５１２にも同じ設定を記憶させる。他のジャンルに色設定を行った場合も同様なデータが記憶される。
【００６２】
従来の番組情報表示装置では、このような設定値が存在しないため、その設定方法および画面への表示方法もなかった。
【００６３】
次に、１つの大ジャンルの下にさらに詳しい小ジャンルが存在する場合、その色に対して色付けを行うこともできる。その色付け方法について説明する。
【００６４】
図４の子画面４１の中で、カーソルを「もっと詳しく」というソフトボタン４５に移動させリモコンの決定ボタン１８５を押すと、図６の画面が表示される。
【００６５】
図６は本発明の実施の形態１における小ジャンルの色分け設定画面を示す図であり、大ジャンルの「アニメ」に対して黄色を設定し、その後「もっと詳しく」を選択し、その場合に表示されたアニメの下の小ジャンル一覧を示した画面である。この画面では大ジャンルで設定した色を小ジャンルに対して、色付けするかしないかの設定を行う画面である。
【００６６】
即ち、６１〜６７で示した色表示ボックスには「アニメ」で指定した黄色が表示されるかされないかどちらかとなる。図において、ディズニー６１、アニメ映画６３、キッズ６５は黄色の色が設定されており、番組表上でそれらのジャンルの番組は黄色の色付けを行い表示することが可能となる。
【００６７】
一方、海外アニメ６２、その他６４、日本アニメ６６、オリジナルアニメ６７は色付け設定がされていないことを示している。
【００６８】
上記、小ジャンルへの色付け設定方法は、所望の小ジャンルにカーソルを移動させリモコンの決定ボタン１８５を押すと、押す度毎に色表示ボックスに色がつく状態と色がつかない状態を交互に繰り返す。ユーザは所望の状態で図６の画面を終了すれば、その状態がＣＰＵ１５１０により設定され不揮発性メモリ１５１４に保存される。
【００６９】
実施の形態２．
実施の形態１において大ジャンルへの色付け設定は、図４のジャンルの色を選択する子画面を表示させ、そこから設定する色を選択するようにしているが、別の方法について図３の画面例と、図７のフローチャートにより説明する。
【００７０】
まず、実施の形態１と同様の手順でジャンルの色分け設定画面（図３）を表示させる（ステップ７０１）。次に、ＣＰＵ１５１０は色番号（Ｎ）をＮ＝０に初期化する（ステップ７０２）。ここでＮ＝０は色付け無しの状態を意味する。
【００７１】
次に、ユーザは色を設定したい大ジャンルに３１にカーソルを移動させる（ステップ７０３）。ここで、リモコンの決定ボタン１８５を押すと（ステップ７０４）、ＣＰＵ１５１０は色番号を１だけインクリメントする。即ち、Ｎ＝１となる（ステップ７０５）。
【００７２】
インクリメントしたＮに対して、その値が設定可能な色数以下であるかどうかをＣＰＵ１５１０が判断する（ステップ７０７）。Ｎが設定可能な数以内であれば、Ｎの値に対応する色を色表示ボックス３２に表示する。
【００７３】
ステップ７０６でＮが設定可能な色数を超えた場合、Ｎを初期値０に戻し（ステップ７０８）、色表示ボックスに色無し表示を行う（ステップ７０７）。
【００７４】
ステップ７０７にて設定および表示された色に確定する場合かどうかをユーザが判断し（ステップ７０９）、確定する場合はリモコンのメニューボタン１８３が判断し（ステップ７０９）、確定する場合はリモコンのメニューボタン１８３を押し、色設定画面を終了する。このとき、ユーザがジャンルに対して設定した色が図１の不揮発性メモリ１５１４に保存される。
【００７５】
一方、ステップ７０９にてユーザが色を確定せず別の色を設定したいと思った場合、再度リモコンの決定ボタン１８５を押すと（ステップ７０４）、ジャンルの色表示ボックスに別の色が表示される。以上を繰返し、ユーザは所望の色を設定することができる。
【００７６】
この形態によれば、リモコンの決定ボタン１８５を繰返し押すだけでジャンルに割付ける色をユーザが選択することができるので、より簡単に色付け設定ができるという効果がある。
【００７７】
実施の形態３．
実施の形態１の図４のジャンルの色設定方法において、図中、子画面４１の中に表示されている色は５色であるが、もちろん５色以上であってもハードウエアの制限を超えなければ何色であってもかまわない。
【００７８】
このとき、選択可能な色の数が子画面４１の中に収まりきらない場合、子画面の中の設定色をスクロールさせ表示するという方法について説明する。
【００７９】
この方法は、ＣＰＵ１５１０が子画面４１のＯＳＤデータをフレームメモリ１５０７に書き込む時に、子画面４１に対応した固定領域の内容をスクロールの度に書き換えることを意味する。
【００８０】
これにより、限られた範囲の子画面４１の中でも多くの選択可能な表示色を表示することができるという効果をもたらすとともに、子画面４１が表示される前のジャンルの色分け設定画面（図３）の一部が画面上に見えているため、ユーザがジャンル色を設定しようとしているジャンル以外のジャンルにどのような色が割り付けられているかのかを、確認しながら所望のジャンルに対する色選択を行うことができるという効果がある。
【００８１】
実施の形態４．
図８は本発明の実施の形態４における番組表を示す図である。この実施の形態では、あらかじめユーザが設定した色を番組名称の背景の全面に塗りつぶして表示するものである。事前に音楽のジャンルは黄色、スポーツのジャンルは水色、ニュースのジャンルは緑に設定されている。
【００８２】
図中で「ポップス  ベストヒット」８１は音楽のジャンルの番組であり、その背景が黄色で塗りつぶされて表示されている。「プロ野球  中継」８２はスポーツのジャンルの番組であり、その背景が水色で塗りつぶされて表示されている。「ワールド・ニュース」８３はニュースのジャンルの番組でありその背景が緑色で塗りつぶされて表示されている。
【００８３】
図８の番組表を表示するための、手順を図９のフローチャートを用いて説明する。
【００８４】
まず、受信機の電源を入れる（ステップ９０１）と、ＣＰＵ１５１０は不揮発性メモリ１５１４からジャンルに対して設定した色情報を読み込み、作業メモリ１５１２に書き込む（ステップ９０２）。
【００８５】
次に、ユーザがリモコンのメニューボタン１８３を押し、画面表示されるメニュー画面（図２）から番組表の選択項目を選ぶ。
【００８６】
ＣＰＵ１３１０は、デマルチプレクサ１５０４によりトランスポートストームから分離された現在の日付の番組情報を作業メモリ１５１２に蓄積する（ステップ９０４）。
【００８７】
次に、ＣＰＵ１５１０は作業メモリ１５１２に蓄積した番組情報から放送チャンネルの番号と、番組名称と、放送時間、番組のジャンル等を抽出し、番組に対してジャンル情報が存在する場合は、各番組に対して、事前に設定したジャンル色の情報を付加する（ステップ９０５）。
【００８８】
最後に、その結果を番組表として図８のような形態にて表示する（ステップ９０６）。なお、番組表を表示する手段としてはメニュー画面の中から番組表の選択項目を選ぶ方法を提示しているが、例えば、図１６のリモコンに番組表を表示するための専用ボタンを設けてもよい。
【００８９】
このようにして表示された図８のような番組表は、表示された番組の名称の背景があらかじめ色設定されたジャンル色で塗りつぶされて表示されているため、ユーザが番組表から番組を選択する際に、番組名称だけでは判断しにくい番組のジャンルが即座にわかるため、番組の選択指標が増え、便利な番組選択をおこなうことができるという効果がある。
【００９０】
実施の形態５．
図１０は本発明の実施の形態５における色付け方法を示す図である。この実施の形態では、あらかじめユーザが設定した色を番組名称の背景の一部に塗りつぶして表示するものである。特に、図では番組名称の１文字目までの背景を事前に設定した色で塗りつぶして表示するようにしたものである。事前に音楽のジャンルは黄色、スポーツのジャンルは水色、ニュースのジャンルは緑に設定されている。
【００９１】
図中で「ポップス  ベストヒット」１０１は音楽のジャンルの番組であり、その背景「ポ」の部分までが黄色で塗りつぶされて表示されている。「プロ野球中継」１０２はスポーツのジャンルの番組でありその背景の「プ」の部分までが水色で塗りつぶされて表示されている。「ワールド・ニュース」１０３はニュースのジャンルの番組でありその背景の「ワ」の部分までが緑色で塗りつぶされて表示されている。
【００９２】
これは、ＣＰＵ１５１０が作業用メモリ１５１２に蓄積された番組情報からＯＳＤを構成する時に、番組名称と、それに付加するジャンル色に加えて、色を付加する領域を指定するパラメータを新たに設けることにより実現している。
【００９３】
番組名称を表示するフォントの大きさが縦×横＝１８ドット×１８ドットの場合などは、番組名称の先頭から１８ドットという範囲を指定し、その範囲を所定の色で塗りつぶしたのち、その同じ位置に番組名称を上書きすれば、図１０の番組の色付けを実現することができる。
【００９４】
このような形態は、実施の形態４の変形であるが、番組表にたくさんの色が表示され番組名称が見にくくなるといった場合により見やすい画面を提供できる効果がある。
【００９５】
実施の形態６．
図１１は本発明の実施の形態６における色付け方法を示す図であり、番組名称欄の背景の一部に色付けを行う場合の別の実施の形態を示す。図において、１１１は番組名称の背景の一部のコーナーに三角の形状で色を表示した場合を示し、１１２は番組名称表記の下部の背景を線状に色付けした場合を示す。このほかにも、デザイン上や見やすさを考えて様々の色付け表示方法を採用することもできる。
【００９６】
実施の形態７．
番組表における番組のジャンルを色付け表示する形態として、番組名称自体を設定色で色付け表示する方法がある。これに関する図は用意していないが、この実施の形態によれば、例えば図８において、８１では背景が塗りつぶされるかわりに「ポップス  ベストヒット」が黄色で表示され、８２は背景が塗りつぶされるかわりに「プロ野球  中継」が水色で表示され、８３では背景が塗りつぶされるかわりに「ワールド・ニュース」が緑色で表示されるといった具合である。
【００９７】
これは、ＣＰＵ１５１０がビデオデコーダ１５０６にＯＳＤデータを送る際に、番組名称の文字属性として所望の色を指定するだけで実現できる。
【００９８】
実施の形態８．
図１２は本発明の実施の形態８における番組表を示す図である。この実施の形態では、あらかじめ設定したジャンルの色が、番組名称欄の頭に、独立した色表示領域（色のタグ）を設け、そこに番組のジャンルを表す色を表示するようにしたものである。
【００９９】
図中で「ポップス  ベストヒット」１２１は音楽のジャンルの番組であり、そのタグ１２２が黄色で塗りつぶされて表示されている。「プロ野球  中継」１２３はスポーツのジャンルの番組でありそのタグ１２４が水色で塗りつぶされて表示されている。「ワールド・ニュース」１２５はニュースのジャンルの番組でありそのタグ１２６が緑色で塗りつぶされて表示されている。
【０１００】
また、「ウハウハＴＶ」１２７は芸能のジャンルに属する番組であるが、このジャンルには色設定がなされていないため、「ウハウハＴＶ」のタグ１２８には色が表示されない。
【０１０１】
この形態も、ＣＰＵ１５１０が色の表示領域を指定するパラメータをビデオエンコーダ１５０６に送り、フレームメモリ１５０７にＯＳＤデータを書き込むことにより実現している。
【０１０２】
また、番組名称と独立した領域に色のタグをつける手段を有することは、番組名称などの表示用に多値フォントを利用した場合などに、画面上で使用する色の数を節約できるという効果がある。これは、ハードウエアなどの制限により使用可能な色数が限定されている場合などに有効である。
【０１０３】
通常、衛星放送の受信機などで使用するフォントは２値フォントであって、これは文字の１ドットを背景色と表示色の２色により構成される。
【０１０４】
これに対して、３値フォントでは文字の１ドットを背景色と表示色およびその中間色の３色で構成する。３値フォントを使用する利点は飛び越し走査を行う一般のテレビなどで文字表示を行う場合に、文字のちらつきを少なくできることである。この説明はここでは行わない。
【０１０５】
【表１】
0004075119.tif 000002
【０１０６】
表１に３値フォントを利用した場合の、使用色数の例を示した。表から分かるように、番組名称の背景をジャンル色で塗りつぶす場合は必要な色数の合計が１１色であるのに対し、独立したタグ表示の場合は６色である。
【０１０７】
いま、ビデオデコーダ１５０６の使用可能な色数が１６色である場合、番組名称表示色と背景色と中間色の合計が１６色以内でなければならないから、番組の背景をジャンル色で塗りつぶす場合はその背景色として７色までしか設定できないが、独立した色のタグ表示を行う場合は中間色が必要ないため１５色までの設定可能である。
【０１０８】
このように、独立した色のタグ表示を行う手段はハードウエア上で使用可能な色数が制限されている場合、より多くのジャンル色を設定できる効果がある。
【０１０９】
実施の形態９．
次に、番組表においてジャンルの色付け表示を行ったり、禁止する場合の表示方法について説明する。
【０１１０】
実施の形態４〜実施の形態７において、ジャンルの色付け表示を禁止した場合、番組表の表示画面は単純に図１７のようになる。
【０１１１】
一方、実施の形態８に示した色のタグを付加する場合には、色付け表示を禁止した場合、単純にタグに表示していた色を消す場合と、タグ自身をなくしてしまい図１７のような表示に戻す方法がある。
【０１１２】
後者の方法を選択すれば、タグが占有していた領域がなくなるため番組名称を１文字程度長く表示できる効果がある。
【０１１３】
実施の形態１０．
図１３は本発明の実施の形態１０における番組表での表示色択画面を示す図である。図において、１３１〜１３５は黄色〜水色の色を番組表に表示するか、しないかを示すチェックボックスである。
【０１１４】
この画面において、カーソルを所望に色に移動させ、リモコンの決定ボタン１８５を押すと、押す度毎に各色のチェックボックスの状態がチェック有りの状態とチェック無しの状態を繰り返し表示される。
【０１１５】
例えば、画面において１３１、１３３、１３４はチェック有りの状態を示しており、この状態であれば番組表において、黄色、緑色、オレンジ色が割り当てられたジャンルの番組に対し色付け表示を行う。
【０１１６】
一方、１３２、１３５はチェック無しの状態を示しており、紫色、水色が割り当てられたジャンルが番組表上に存在しても色付け表示は行われない。
【０１１７】
チェックボックスにチェックがある場合は色表示データを１、無い場合を０とし、各色の状態を不揮発性メモリ１５１４に記憶すると共に、同じデータを作業用メモリ１５１２に記憶させる。
【０１１８】
ＣＰＵ１５１０は番組表を表示する際に、前記記憶データを参照し、色表示データが１の色のみ番組のジャンル色表示を行うようにしたものである。
【０１１９】
このような、手段を有することにより番組表のなかで色が多すぎるというような場合、表示色を限定できるため表示の煩雑さを解消し、見やすい番組表を提供できるといった効果がある。
【０１２０】
上記図１０では、表示色の選択表示はチェックボックス形式を例として示したが、ソフトボタンの形状変化や色そのものの表示、非表示の状態変化、またはそれらの組み合わせで行うこともできる。
【０１２１】
実施の形態１１．
図１４は本発明の実施の形態１１における番組表を示す図である。この実施の形態では、番組表の番組欄の中で、その最も上の行に番組の予約状況を表示している。
【０１２２】
図において、１４１は予約状況を表示する行であることを示す予約状況表示欄、１４２，１４３は既に予約されている番組の情報を示す予約状況表示欄である。
【０１２３】
この番組表では、午後６時〜午後８時までの時間に放送予定の、１２８チャンネル〜１３９チャンネルまでの番組情報が表示されている。
【０１２４】
ところが、予約状況によれば、予約状況表示欄１４２に示すように、午後６時〜午後７時の間で既に３５０チャンネルの「舞踏への勧誘」という番組が予約されていることがわかり、予約状況表示欄１４３では午後７時からは３８０チャンネルの「新ダイハード」が予約されていることがわかる。
【０１２５】
従って、現在表示している番組のなかで予約したいと思う番組が新たにあったとき、ユーザは予約状況に表示されている既予約番組と、新たに予約したいと思った番組との優先度を比較しながら番組を選べるという利点と、不用意な番組の重複予約を未然に防止できるという効果がある。
【０１２６】
また、ユーザがあまり番組予約を行わないといった場合は、当然予約状況表示も必要度は低くなる。そこで、ユーザの必要に応じて、予約状況表示をやめて通常の番組欄表示に切り換えることができる。この場合、番組表に表示できるチャンネル数が１チャンネル分増える。このときの画面は図１２のような画面となる。
【０１２７】
図１４の番組表を使用して番組予約を行う手順について、図１９のフローチャートで説明する。
【０１２８】
図１９は予約状況表示のない従来の番組表を使って番組の選局や予約を行う手順であるが、本実施の形態では、番組表に他の番組の予約状況が表示されているため、ユーザが誤って既に番組が予約されている時間の別の番組を選択することがない。従って、図１９におけるステップ１９０７、１９０８、１９０９が必要でなくなり、より単純な手順となることがわかる。
【０１２９】
実施の形態１２．
図１４に示した予約状況表示の方法に関する別の形態としては、現在表示している時間帯に既に予約されている番組があれば予約状況を表示し、なければ通常の番組欄を表示する。といったように、自動的に表示状態を切り換える方法もある。
【０１３０】
この切換は、ＣＰＵ１５１０が番組表の表示範囲と作業メモリ１５１２および不揮発性メモリ１５１４に記憶された番組予約情報を比較しながら、フレームメモリ１５０７に書き込むＯＳＤデータを切り換えることにより実現している。
【０１３１】
【発明の効果】
本発明は、以上説明したように構成されているので、電子番組情報表に現在表示している番組のなかで予約したいと思う番組が新たにあったとき、ユーザは予約状況に表示されている既予約番組の予約時間帯と番組名称とをみて、新たに予約したいと思った番組との優先度を比較しながら番組を選べるという利点と、不用意な番組の重複予約を未然に防止できるという効果を奏する。
【図面の簡単な説明】
【図１】  本発明の実施の形態１である番組情報表示装置を示す構成図である。
【図２】  本発明の実施の形態１におけるメニュー画面を示す図である。
【図３】  本発明の実施の形態１におけるジャンルの色分け設定画面を示す図である。
【図４】  本発明の実施の形態１におけるジャンルの色選択画面を示す図である。
【図５】  本発明の実施の形態１におけるジャンルの色設定後の画面を示す図である。
【図６】  本発明の実施の形態１における小ジャンルの色分け設定画面を示す図である。
【図７】  本発明の実施の形態２の動作を示すフローチャートである。
【図８】  本発明の実施の形態４における番組表を示す図である。
【図９】  本発明の実施の形態４の動作を示すフローチャートである。
【図１０】  本発明の実施の形態５における色付け方法を示す図である。
【図１１】  本発明の実施の形態６における色付け方法を示す図である。
【図１２】  本発明の実施の形態８における番組表を示す図である。
【図１３】  本発明の実施の形態１０における番組表での表示色選択画面を示す図である。
【図１４】  本発明の実施の形態１１における番組表を示す図である。
【図１５】  従来のデジタルＣＳ放送の受信機の構成を示す図である。
【図１６】  トランスポートストリームの概要を説明する図である。
【図１７】  従来のデジタル放送受信機における番組表の一例を示す図である。
【図１８】  番組ガイドを操作するためのリモートコントローラを示す図である。
【図１９】  従来の番組ガイドにおける番組予約のシーケンスを示すフローチャートである。
【図２０】  従来の番組ガイドにおけるメニュー画面を示す図である。
【図２１】  従来の番組表で既予約番組を示す図である。
【符号の説明】
１５０１  信号入力端子、１５０２  フロントエンド、１５０３  デスクランブラ、１５０４  デマルチプレクサ、１５０５  デスクランブル用メモリ、１５０６  ビデオデコーダ、１５０７  フレームメモリ、１５０８  ＮＴＳＣビデオエンコーダ、１５０９  出力端子、１５１０  ＣＰＵ、１５１１  プログラムＲＯＭ、１５１２  作業用メモリ、１５１３  漢字ＲＯＭ、１５１４  不揮発性メモリ、２１  選択項目、３１  大ジャンル名称、３２  色表示ボックス、４１  子画面、４２  色表示ボックス、４３  名称欄、４４  カーソル、４５  ソフトボタン、４６  ボタン、６１〜６７  色表示ボックス、８１  背景が黄色で塗りつぶされた音楽番組、８２  背景が水色で塗りつぶされたスポーツ番組、８３  背景が緑色で塗りつぶされたニュース番組、１０１  背景の一部が黄色で塗りつぶされた音楽番組、１０２  背景の一部が水色で塗りつぶされたスポーツ番組、１０３  背景の一部が緑色で塗りつぶされたニュース番組、１１１  番組名称の背景の一部を三角形で色付けした例、１１２  番組名称の下部を線状に色付けした例、１２１  黄色のタグがついた音楽番組、１２２  音楽を示す黄色のタグ、１２３  水色のタグがついたスポーツ番組、１２４  スポーツを示す水色のタグ、１２５  緑色のタグがついたニュース番組、１２６  ニュースを示す緑色のタグ、１２７  ジャンルの色設置がないタグ、１２８  ジャンルの色付けがない無色のタグ、１３１〜１３５  チェックボックス、１４１〜１４３  予約状況表示欄、１４４  ジャンル色のタグ、１７１  現在の時刻表示、１７２  番組欄の日付、１７３  時間軸、１７４  ロゴ表示欄、１７５  チャンネル番号表示欄、１７６  番組名称表示欄、１７７  カーソルで選択されている番組、１７８  詳細情報表示欄、１７９  操作ガイダンス表示欄、１８１  電源ボタン、１８２  数字ボタン、１８３  メニューボタン、１８４  移動用ボタン、１８５  決定ボタン、２０１  予約マーク。
【図１】
0004075119.tif 000003
【図２】
0004075119.tif 000004
【図３】
0004075119.tif 000005
【図４】
0004075119.tif 000006
【図５】
0004075119.tif 000007
【図６】
0004075119.tif 000008
【図７】
0004075119.tif 000009
【図８】
0004075119.tif 000010
【図９】
0004075119.tif 000011
【図１０】
0004075119.tif 000012
【図１１】
0004075119.tif 000013
【図１２】
0004075119.tif 000014
【図１３】
0004075119.tif 000015
【図１４】
0004075119.tif 000016
【図１５】
0004075119.tif 000017
【図１６】
0004075119.tif 000018
【図１７】
0004075119.tif 000019
【図１８】
0004075119.tif 000020
【図１９】
0004075119.tif 000021
【図２０】
0004075119.tif 000022
【図２１】
0004075119.tif 000023